(57)【要約】【課題】遊技者への景品の引渡しを携帯電話を利用して無人で行うことのできる景品交換ボックスおよびこれを用いた景品交換システムを提供する。【解決手段】遊技者は、自己の携帯電話６００からサーバー３００にアクセスして貯玉を利用した景品交換の登録を行う。その情報は景品交換登録機５００に表示される。景品ボックス４００は、施錠可能な扉部４１２を有するロッカー部４１０を複数有しており、係員は、景品交換登録機５００に表示された情報に従って景品ボックス４００に景品を投入して施錠する。この際、開鍵のためのキー情報（会員番号と暗証番号など）を登録する。遊技者は、開鍵のためのキー情報として、携帯電話から赤外線通信によって会員番号を景品ボックス４００へ送信するとともに入力キー４３０から暗証番号を入力する。キー情報が一致すると開鍵して扉部４１２が開き景品を受け取ることができる。【選択図】図１
2004081536.tif 000002
【特許請求の範囲】
【請求項１】
無人で景品交換を行うための景品交換ボックスにおいて、
景品を収容可能な収容部であって景品を出し入れするための開口を有するものと、
景品の出し入れ不能に前記開口を閉鎖する閉状態と景品の出し入れ可能に前記開口を開放する開状態とに開閉可能な扉部と、前記扉部を前記閉状態において施錠する施錠手段とを有するロッカー部と、
前記施錠手段を施錠状態と開鍵状態とに切換制御する制御手段と、
開鍵のためのキー情報の入力設定を受け付けるキー情報設定手段と、
開鍵時に前記キー情報を入力するためのキー情報入力手段とを有し、
前記制御手段は、前記キー情報が入力設定されたことを条件に前記施錠手段を施錠状態にするとともに、施錠時に設定されたキー情報と一致する情報が前記キー情報入力手段から入力されたことを条件に前記施錠手段を開鍵状態にする
ことを特徴とする景品交換ボックス。
【請求項２】
前記キー情報入力手段は、キー情報の全部または一部を携帯電話から取得することを特徴とする請求項１に記載の景品交換ボックス。
【請求項３】
前記ロッカー部を複数有し、
前記制御手段は、各ロッカー部の施錠手段を個別のキー情報に基づいて制御する
ことを特徴とする請求項１に記載の景品交換ボックス。
【請求項４】
前記キー情報入力手段は、前記キー情報の一部または全部を携帯電話から無線通信を介して直接受信する
ことを特徴とする請求項２に記載の景品交換ボックス。
【請求項５】
前記キー情報入力手段は、前記キー情報の一部または全部を携帯電話から赤外線通信を介して直接受信する
ことを特徴とする請求項２に記載の景品交換ボックス。
【請求項６】
前記キー情報入力手段は、前記キー情報の一部または全部を携帯電話のディスプレイに表示された二次元バーコードを読み取ることで取得する
ことを特徴とする請求項２に記載の景品交換ボックス。
【請求項７】
無人で景品交換を行うための景品交換システムであって、
携帯電話からアクセスされるサーバーと、交換情報表示装置と、請求項１から６のいずれかに記載の景品交換ボックスとを有し、
前記サーバーは、遊技者を一意に特定するための遊技者特定情報と、前記特定された遊技者の保有する貯玉を景品に交換する旨の景品交換登録指示とを携帯電話からのアクセスを通じて受け付ける機能と、受け付けた景品交換登録指示と遊技者特定情報とを前記交換情報表示装置に通知する機能とを有するものであり、前記交換情報表示装置は、前記サーバーから受信した景品交換登録指示と遊技者特定情報とを係員に向けて表示するものである
ことを特徴とする景品交換システム。
【請求項８】
前記交換情報表示装置は、係員に向けて表示すべき情報を印刷出力する機能を有し、
印刷出力の完了した情報を、以後の表示対象から削除する
ことを特徴とする請求項７に記載の景品交換システム。
【請求項９】
携帯電話から前記遊技者特定情報を取得する遊技者特定情報入力手段と、遊技者の獲得した遊技媒体を計数する計数手段と、遊技者の獲得した遊技媒体を貯玉として登録するための貯玉登録指示を受け付ける貯玉登録受付手段とを有する遊技媒体計数装置であって遊技機毎に設けられたものと、
前記貯玉登録指示に基づいて、前記計数手段の計数値と前記遊技者特定情報入力手段の取得した遊技者特定情報とを含む貯玉登録情報を前記サーバーへ送信する送信手段と
をさらに有する
ことを特徴とする請求項７に記載の景品交換システム。
【請求項１０】
前記遊技者特定情報入力手段は、携帯電話から無線通信を介して前記遊技者特定情報を直接受信する
ことを特徴とする請求項９に記載の景品交換システム。
【請求項１１】
前記遊技者特定情報入力手段は、携帯電話から赤外線通信を介して前記遊技者特定情報を直接受信する
ことを特徴とする請求項９に記載の景品交換システム。
【請求項１２】
前記遊技者特定情報入力手段は、携帯電話のディスプレイに表示された二次元バーコードを読み取ることで前記遊技者特定情報を取得する
ことを特徴とする請求項９に記載の景品交換システム。
【発明の詳細な説明】
【０００１】
【発明の属する技術分野】
本発明は、無人で景品交換を行うための景品交換ボックスおよびこれを用いた景品交換システムに関する。
【０００２】
【従来の技術】
従来、パチンコ機などの遊技機で遊技を行って獲得したパチンコ球などの遊技媒体の数を、遊技終了時に計数し、その数を、その遊技者が仮想的に保有する遊技媒体である貯玉として登録する、いわゆる貯玉システムがある。貯玉は、会員番号と対応付けて登録される。登録された貯玉は、後に、景品交換や遊技媒体の貸出に利用することが可能になっている。
【０００３】
また、貯玉システムと携帯電話とを関連付けることにより、貯玉と交換する景品の注文を遊技客が携帯電話から行い得るように構成したシステムがある。
【０００４】
【発明が解決しようとする課題】
しかしながら、貯玉と交換する景品の注文を携帯電話から行い得るように構成したシステムにおいても、景品の遊技者への引渡しは、景品カウンターにおいて係員が対面形式で行っている。このため、景品カウンターへ直接行ってその場で景品を注文する場合と比較した利点が遊技者にとって少なく、携帯電話から景品交換の注文を行う利用者の増加を充分に図ることができないという問題があった。
【０００５】
本発明は、以上のような従来技術が有する問題点に着目してなされたもので、遊技者への景品の引渡しを携帯電話を利用して無人で行うことのできる景品交換ボックスおよびこれを用いた景品交換システムを提供することを目的としている。
【０００６】
【課題を解決するための手段】
かかる目的を達成するための本発明の要旨とするところは、次の各項の発明に存する。
［１］無人で景品交換を行うための景品交換ボックス（４００）において、
景品を収容可能な収容部であって景品を出し入れするための開口を有するものと、
景品の出し入れ不能に前記開口を閉鎖する閉状態と景品の出し入れ可能に前記開口を開放する開状態とに開閉可能な扉部（４１２）と、前記扉部（４１２）を前記閉状態において施錠する施錠手段（４１３）とを有するロッカー部（４１０）と、
前記施錠手段を施錠状態と開鍵状態とに切換制御する制御手段（４２０）と、開鍵のためのキー情報の入力設定を受け付けるキー情報設定手段（４２０、４３０）と、
開鍵時に前記キー情報を入力するためのキー情報入力手段（４３０、４４０）とを有し、
前記制御手段（４２０）は、前記キー情報が入力設定されたことを条件に前記施錠手段を施錠状態にするとともに、施錠時に設定されたキー情報と一致する情報が前記キー情報入力手段（４３０、４４０）から入力されたことを条件に前記施錠手段を開鍵状態にする
ことを特徴とする景品交換ボックス（４００）。
【０００７】
［２］前記キー情報入力手段（４３０、４４０）は、キー情報の全部または一部を携帯電話（６００）から取得する
ことを特徴とする［１］に記載の景品交換ボックス（４００）。
【０００８】
［３］前記ロッカー部（４１０）を複数有し、
前記制御手段（４２０）は、各ロッカー部（４１０）の施錠手段を個別のキー情報に基づいて制御する
ことを特徴とする［１］に記載の景品交換ボックス（４００）。
【０００９】
［４］前記キー情報入力手段（４３０、４４０）は、前記キー情報の一部または全部を携帯電話（６００）から無線通信を介して直接受信する
ことを特徴とする［２］に記載の景品交換ボックス（４００）。
【００１０】
［５］前記キー情報入力手段（４３０、４４０）は、前記キー情報の一部または全部を携帯電話（６００）から赤外線通信を介して直接受信する
ことを特徴とする［２］に記載の景品交換ボックス（４００）。
【００１１】
［６］前記キー情報入力手段（４３０、４４０）は、前記キー情報の一部または全部を携帯電話（６００）のディスプレイに表示された二次元バーコードを読み取ることで取得する
ことを特徴とする［２］に記載の景品交換ボックス（４００）。
【００１２】
［７］無人で景品交換を行うための景品交換システム（１００）であって、
携帯電話（６００）からアクセスされるサーバー（３００）と、交換情報表示装置（５００）と、［１］から［６］のいずれかに記載の景品交換ボックス（４００）とを有し、
前記サーバー（３００）は、遊技者を一意に特定するための遊技者特定情報と、前記特定された遊技者の保有する貯玉を景品に交換する旨の景品交換登録指示とを携帯電話（６００）からのアクセスを通じて受け付ける機能と、受け付けた景品交換登録指示と遊技者特定情報とを前記交換情報表示装置（５００）に通知する機能とを有するものであり、
前記交換情報表示装置（５００）は、前記サーバー（３００）から受信した景品交換登録指示と遊技者特定情報とを係員に向けて表示するものである
ことを特徴とする景品交換システム（１００）。
【００１３】
［８］前記交換情報表示装置（５００）は、係員に向けて表示すべき情報を印刷出力する機能を有し、
印刷出力の完了した情報を、以後の表示対象から削除する
ことを特徴とする［７］に記載の景品交換システム（１００）。
【００１４】
［９］携帯電話（６００）から前記遊技者特定情報を取得する遊技者特定情報入力手段（２６０）と、遊技者の獲得した遊技媒体を計数する計数手段（２３０）と、遊技者の獲得した遊技媒体を貯玉として登録するための貯玉登録指示を受け付ける貯玉登録受付手段（２４０、２５０）とを有する遊技媒体計数装置であって遊技機毎に設けられたものと、
前記貯玉登録指示に基づいて、前記計数手段（２３０）の計数値と前記遊技者特定情報入力手段（２６０）の取得した遊技者特定情報とを含む貯玉登録情報を前記サーバー（３００）へ送信する送信手段（２８０）と
をさらに有する
ことを特徴とする［７］に記載の景品交換システム（１００）。
【００１５】
［１０］前記遊技者特定情報入力手段（２６０）は、携帯電話（６００）から無線通信を介して前記遊技者特定情報を直接受信する
ことを特徴とする［９］に記載の景品交換システム（１００）。
【００１６】
［１１］前記遊技者特定情報入力手段（２６０）は、携帯電話（６００）から赤外線通信を介して前記遊技者特定情報を直接受信する
ことを特徴とする［９］に記載の景品交換システム（１００）。
【００１７】
［１２］前記遊技者特定情報入力手段（２６０）は、携帯電話（６００）のディスプレイに表示された二次元バーコードを読み取ることで前記遊技者特定情報を取得する
ことを特徴とする［９］に記載の景品交換システム（１００）。
【００１８】
次に、前記各項に記載された発明の作用について説明する。
景品交換ボックス（４００）の有するロッカー部（４１０）の扉を施錠するには、開鍵のためのキー情報の入力設定が条件となり、施錠後は、このキー情報が入力されることによって施錠手段（４１３）が開鍵され、景品の取り出しが可能になる。キー情報は、景品をロッカー部（４１０）に投入する係員側と景品の注文主である遊技者にだけ通知される。キー情報は、たとえば、会員番号と暗証番号などで構成される。
【００１９】
また、たとえば、キー情報が景品交換登録毎に割り当てられる受付番号等を含む場合には、遊技者が景品の注文（景品交換登録）を携帯電話（６００）から行うと、注文時に割り当てられた受付番号がキー情報として遊技者に通知されるとともに、係員側にも注文主の会員番号と受付番号等が通知される。係員は景品をロッカー部（４１０）に収容し、このキー情報を用いて施錠する。遊技者は、同じキー情報を入力することで施錠手段（４１３）を開鍵してロッカー部（４１０）から景品を取り出すことが可能になる。
【００２０】
開鍵時におけるキー情報の全部または一部を、携帯電話（６００）から入力されるように構成してもよい。たとえば、会員番号などをキー情報の一部または全部として携帯電話（６００）に記憶させておき、携帯電話（６００）から無線通信（電波あるいは赤外線による通信）等を利用して景品交換ボックス（４００）にキー情報を送信する。あるいは、キー情報の一部または全部を携帯電話（６００）のディスプレイに二次元バーコードとして表示し、これをキー情報入力手段で読み取ることによって入力する。
【００２１】
キー情報の一部を携帯電話（６００）から入力する場合には、キー情報のうち残りの部分を他の入力方法、たとえばテンキーから入力するように構成してもよい。すなわち、キー情報のうち、会員番号など、遊技者に固有な情報、あるいは秘密性のない情報については予め携帯電話（６００）に記憶させておき、携帯電話（６００）から送信させる。一方、暗証番号や受付番号などはテンキー等から入力させるように構成してもよい。すなわち、暗証番号のようにセキュリティー性を確保するための情報や、受付番号のように毎回変動する情報部分については、テンキー等から入力させるように構成してもよい。
【００２２】
ロッカー部（４１０）を複数設け、それぞれ個別にキー情報を設定し得るように構成すれば、複数の遊技者に対する景品交換が可能になる。また制御手段（４２０）やキー情報入力手段（４３０、４４０）等が複数のロッカー部（４１０）で共用されるので、装置構成の簡略化を図ることができる。
【００２３】
このように、景品を収納したロッカー部（４１０）が施錠時に設定したキー情報の入力によって開鍵されるので、遊技者への景品の引渡しを無人で行うことが可能になる。その結果、景品交換ボックス（４００）を遊技店の入口等に配置するだけでなく、たとえば、コンビニエンスストアなど他店の店頭や街頭などに設置することも可能となり、景品の受取りにおける時間的制限や場所的制限が緩和され、遊技者の利便性を高めることができる。
【００２４】
無人で景品交換を行うための景品交換システム（１００）は、携帯電話（６００）からアクセスされるサーバー（３００）と、交換情報表示装置（５００）と、上記した景品交換ボックス（４００）とを有しており、サーバー（３００）は、遊技者を一意に特定するための遊技者特定情報と、特定された遊技者の保有する貯玉を景品に交換する旨の景品交換登録指示とを携帯電話（６００）からのアクセスを通じて受け付ける。また受け付けた景品交換登録指示と遊技者特定情報とを交換情報表示装置（５００）に通知する。
【００２５】
携帯電話（６００）からサーバー（３００）へのアクセスは無線電話回線およびインターネットを通じて行われる。またサーバー（３００）から交換情報表示装置（５００）への景品交換登録指示と遊技者特定情報の通知は、インターネットを介したり、専用の通信回線を利用したりして行われる。
【００２６】
交換情報表示装置（５００）は、サーバー（３００）から受信した景品交換登録指示と遊技者特定情報とを係員等に向けて表示する機能を果たす。表示方法としては、ディスプレイに表示したり、印刷出力したりする。係員は、表示された景品交換登録指示と遊技者特定情報とに基づいて、遊技者の指定する景品を、遊技者特定情報に基づくキー情報を入力して景品交換ボックス（４００）に収容する操作を行う。その後、遊技者が携帯電話（６００）等を利用してキー情報を景品交換ボックス（４００）に入力することにより、景品交換ボックス（４００）が開鍵され、収容された景品の遊技者への引渡しが無人で行われる。なお、施錠時におけるキー情報の入力設定は、交換情報表示装置（５００）と景品交換ボックス（４００）との間を通信回線で接続することによって自動で行われるように構成してもよい。
【００２７】
このように、景品の注文（交換登録）と景品交換ボックス（４００）からの受取りの双方に携帯電話（６００）を利用するようにシステムを構成することで、携帯電話（６００）から景品交換の注文を行う利用者の増加を充分に図ることができる。
【００２８】
また交換情報表示装置（５００）は、係員に向けて表示すべき情報であって印刷出力の完了したものを、以後の表示対象から削除する。これにより、景品交換ボックス（４００）へ未収容のものだけが表示され、係員による管理作業が容易になる。
【００２９】
さらに、携帯電話（６００）から遊技者特定情報を取得する遊技者特定情報入力手段（２６０）と、遊技者の獲得した遊技媒体を計数する計数手段（２３０）と、遊技者の獲得した遊技媒体を貯玉として登録するための貯玉登録指示を受け付ける貯玉登録受付手段（２４０、２５０）とを有する遊技媒体計数装置を遊技機毎に設置するとともに、受け付けた貯玉登録指示に基づいて、計数手段（２３０）の計数値と遊技者特定情報入力手段（２６０）の取得した遊技者特定情報とを含む貯玉登録情報をサーバー（３００）へ送信する送信手段（２８０）とを設ける。
【００３０】
遊技者特定情報入力手段（２６０）は、携帯電話（６００）から無線通信、たとえば赤外線通信を介して遊技者特定情報を直接受信したり、携帯電話（６００）のディスプレイに表示された二次元バーコードを読み取ることで遊技者特定情報を取得したりする。
【００３１】
このように、携帯電話（６００）から取得した遊技者特定情報に基づいて遊技者を特定して貯玉を行うので、貯玉の際にも携帯電話（６００）が活用され、利便性をさらに高めることができる。
【００３２】
【発明の実施の形態】
以下、図面に基づき本発明の実施の形態を説明する。
図１は本実施の形態に係る景品交換システム１００の概略構成を示している。景品交換システム１００は、単体島２００と、サーバー３００と、景品ボックス４００と、景品交換登録機５００とを有し、さらに遊技客の使用する携帯電話６００も１つの構成要素になっている。
【００３３】
携帯電話６００は、赤外線通信機能を有する。また携帯電話６００は、無線電話回線およびインターネットを介して、各種のサーバーやサイトにアクセスし得る機能を有している。さらに携帯電話６００は、ダウンロードしたプログラムを実行可能に構成されており、景品交換システム１００の構成要素として機能するための所定のプログラムがダウンロードされ記憶されている。
【００３４】
単体島２００は、パチンコ機である遊技機２１０と、貨幣やプリペイドカードの投入金額に相当する遊技媒体（玉貸）を貸し出すための遊技媒体貸機２２０と、遊技機で獲得した遊技媒体を遊技終了時に計数する計数手段としての機能を果たす遊技媒体計数機２３０と、遊技機から排出された遊技媒体および遊技媒体計数機で計数された遊技媒体を回収研磨し遊技機へ遊技媒体を補給する補給回収機構とを装備したものである。さらに景品交換システム１００は、液晶表示部２４０と、入力キー２５０と、赤外線受光部２６０と、単体島全体の動作を統括制御する制御部２７０と、遊技場内に敷設されたネットワーク１０を接続する機能等を果たす通信処理部２８０とを備えている。
【００３５】
赤外線受光部２６０は、携帯電話から遊技者特定情報を赤外線通信を介して取得する遊技者特定情報入力手段として機能する。入力キー２５０は、テンキーや各種の入力ボタンを有しており、遊技者の操作によって各種の情報を取得するものである。入力キー２５０は、遊技者の獲得した遊技媒体を貯玉として登録するための貯玉登録指示を受け付ける貯玉登録受付手段としての機能を果たす。また液晶表示部２４０には、貯玉する際などに各種の案内表示が行われる。通信処理部２８０は、入力キー２５０から入力された貯玉登録指示に基づいて、遊技媒体計数機２３０の計数値と遊技者特定情報入力手段としての赤外線受光部２６０が受信した遊技者特定情報とを含む貯玉登録情報を、遊技場内のネットワークを介してサーバー３００へ送信する機能を果たしている。通信処理部２８０は、専用回路で構成しても良いし、たとえば、汎用のパーソナルコンピュータで所定のプログラムを実行することによってその機能を果たすように構成してもよい。
【００３６】
図２および図３は、単体島の回路構成を例示したものである。図２に示すものは、遊技媒体を回収研磨し遊技機へ遊技媒体を補給する補給回収機構を単体島の内部に備えたものである。図３に示すものは、２台の遊技機で１つの島を構成している。また遊技媒体の補給は外部から行われるようになっている。
【００３７】
図１に示したサーバー３００は、会員の貯玉を管理する貯玉管理機能と、携帯電話６００からの要求や遊技場のネットワーク１０を通じて単体島２００や景品交換登録機５００からの要求に対して各種のサービスを提供する機能を有している。貯玉管理機能は、単体島２００から送られてくる貯玉登録情報に基づいて、会員番号別に貯玉を加算登録する機能と、単体島２００から送られてくるリプレイ要求等に基づいて、該当する会員番号の貯玉数を減算したり、該当する会員番号の貯玉数を紹介したりする。さらに携帯電話６００からアクセスがあった際に、遊技者を一意に特定するための遊技者特定情報である会員番号を表した情報を携帯電話６００から受信したり、携帯電話６００からの要求に応じて、貯玉数を紹介したり、貯玉を景品に交換するための注文（景品交換登録指示）を受け付けてその分の貯玉数を減算したりする機能を有している。なおサーバー３００は会員番号に対応付けて、その会員の暗証番号を記憶している。
【００３８】
さらにサーバー３００は、受け付けた景品交換登録指示と遊技者特定情報とを交換情報表示装置としての景品交換登録機５００へ送信する機能を有している。これらの情報の景品交換登録機５００への送信は、景品交換登録機５００からのアクセス要求に基づいて行われる。
【００３９】
景品交換登録機５００は、ＰＯＳ端末５１０と、赤外線スキャナー５２０と、プリンター５３０とを有している。景品交換登録機５００は、遊技場の景品交換カウンタに設置されている。ＰＯＳ端末５１０は、サーバー３００へ周期的（数秒毎）にアクセスして景品交換登録指示と遊技者特定情報とを受信する。そして、注文（景品交換登録）された景品の景品名や景品番号、注文主の会員番号等をディスプレイに表示する機能と、プリンター５３０から印刷出力する機能を備えている。印刷出力が完了すると、その注文（景品交換登録）に関する情報を表示対象から削除するようになっている。
【００４０】
景品ボックス４００は、無人で景品の受け取りを可能にするものである。景品ボックス４００は、景品を収容するための複数のロッカー部４１０と、鍵の施錠・開鍵を制御する制御部として機能する景品ＢＯＸ制御部４２０と、テンキーや各種のボタンからなる入力キー４３０と、赤外線受光部４４０と、液晶ディスプレイ４５０とから構成されている。
【００４１】
ロッカー部４１０は、一つの側面に景品を出し入れするための開口を有する矩形箱状の収容部と、景品の出し入れ不能に開口を閉鎖する閉状態と景品の出し入れ可能に開口を開放する開状態とに開閉可能な扉部４１２と、扉部４１２を閉状態において施錠する施錠部４１３とを有している。なお、実施の形態に示すものでは、赤外線受光部４４０の駆動制御と、景品交換登録機５００と遊技場内のネットワークを通じて通信する機能を果たすためにノート型の汎用パーソナルコンピュータ４６０を接続してあるが、景品ＢＯＸ制御部４２０にその機能を組み込めば、ノート型の汎用パーソナルコンピュータ４６０を設けなくてもよい。
【００４２】
入力キー４３０は、キー情報設定手段としての機能を果たし、係員が景品をロッカー部４１０に入れて扉部４１２を閉めて施錠する際に、開鍵の際に必要となるキー情報を入力設定するために用いられる。たとえば、施錠の際に、会員番号と暗証番号をキー情報として入力設定する。なお、ここでは、キー情報の一部を景品ＢＯＸ制御部４２０が景品交換登録機５００からＬＡＮを通じて自動的に取得するように構成されており、景品ＢＯＸ制御部４２０がキー情報設定手段の一部として機能するようになっている。
【００４３】
赤外線受光部４４０は、キー情報入力手段としての機能を果たす。赤外線受光部４４０は携帯電話６００と赤外線通信を行うための受光部である。赤外線受光部４４０は、携帯電話６００から会員番号などの情報をキー情報として受信する。なお、キー情報の一部を赤外線受光部４４０から取得し、キー情報の残り部分（たとえば、暗証番号）を入力キー４３０からの入力によって取得するように構成すれば、入力キー４３０はキー情報入力手段としても機能することになる。
【００４４】
景品ＢＯＸ制御部４２０は、キー情報が入力設定され、かつ扉部４１２が閉じられたことを条件に施錠部４１３を施錠状態にする。また、施錠時に設定されたキー情報と一致する情報が入力されたことを条件に施錠部４１３を開鍵状態にするように動作する。たとえば、景品をロッカー部４１０に入れて扉部４１２を閉じた後、入力キー４３０から景品を投入したロッカー部４１０のＢＯＸ番号、キー情報としての会員番号および暗証番号を入力すると、施錠が行われる。また携帯電話６００からの赤外線通信によって赤外線受光部４４０が会員番号を受信すると、その会員番号がキー情報となっているロッカー部４１０が存在するか否かを調べ、該当するロッカー部４１０が存在する場合には、さらに入力キー４３０から暗証番号の入力を受け付ける。そして入力された暗証番号がキー情報として施錠時に設定された番号と一致すれば、該当するロッカー部４１０の施錠部４１３を開鍵するように動作する。
【００４５】
次に作用を説明する。
まず、単体島２００において遊技を行って得た持ち玉を貯玉する際の流れについて説明する。図４は、単体島２００の液晶表示部２４０に表示される内容の遷移を示している。電源投入後は、「いらっしゃいませ」というメッセージ等を表示した待機画面７０１、７０２が表示される。このほか待機画面７０１、７０２には、「携帯電話の赤外線ポートを下の受光部に向けてください」というメッセージと持玉残高が表示される。遊技者は、遊技を行う際にまず、自身の保有する携帯電話６００を赤外線受光部２６０に向けて単体島２００との間で赤外線通信を行い、会員番号を携帯電話６００から単体島２００へ送信する。より詳細には、ネットからダウンロードした所定のアプリケーションプログラムを実行することで、会員番号が赤外線通信によって単体島２００へ送信される。
【００４６】
遊技者の会員番号を認識した単体島２００は、続いて本人認証のための暗証番号の入力を求める暗証番号入力画面７０３を表示する。入力画面７０３には「暗証番号を入力してください」というメッセージと「暗証番号の入力でリプレイが御利用出来ます。」というメッセージが表示される。入力された暗証番号が間違っている場合は、３回まで再入力を求め、正しい暗証番号が入力されない場合には、所定のエラーメッセージを表示して待機画面７０１へ戻る。
【００４７】
暗証番号が正しく入力されると（画面７０４、画面７０５）、現在保有している貯玉数等の表示される選択画面７０８が表示される。画面７０４には「１２３４、取消キーで戻る」等のメッセージが表示される。画面７０５には「確認中です」、「しばらくお待ちください」というメッセージが表示される。画面７０８には、「リプレイが御利用できます。」というメッセージと、持玉残高と貯玉残高と、「遊技を終了する場合は、「終了」を押してください。」というメッセージが表示される。
【００４８】
ここで、リプレイを選択すると、確認処理を経て（画面７１１）、貯玉が遊技媒体貸機２２０から払い出される（画面７１２）。画面７１１には「確認中です」、「しばらくお待ち下さい」というメッセージが表示される。画面７１２には「払出中です」というメッセージと、お引出数と、利用料と、持玉残高と、貯玉残高が表示される。
【００４９】
選択画面７０８で遊技の終了を選択すると、現在の持玉を貯玉するか否かを問い合わせる画面７０９が表示され、所定のボタンを遊技者が押下すると、今回の遊技で獲得した遊技媒体としての持玉が貯玉として登録される（画面７１０）。なお画面７０９には、「遊技を終了し持玉を貯玉しますか」というメッセージと「終了する時は「確認」を遊技を継続する場合は「取消」を押してください。」というメッセージが表示される。また画面７１０には「ありがとうございました」、「持玉は全て貯玉されました。貯玉数は携帯電話で確認出来ます。」というメッセージが表示される。
【００５０】
このとき、通信処理部２８０は、遊技媒体計数機２３０によって計数された値（持玉数）と赤外線通信で携帯電話６００から取得している遊技者特定情報としての会員番号とを含む貯玉登録情報をサーバー３００へ送信する。サーバー３００は、受信した貯玉登録情報に基づいて貯玉を登録する。すなわち、指定された会員番号の貯玉数に今回の持玉数を加算する処理を行う。
【００５１】
次に、携帯電話６００を用いて貯玉数を確認する際の流れを説明する。
図５は、携帯電話６００から自己の貯玉数を確認する際に携帯電話６００のディスプレイに表示される画面遷移の一例を示している。遊技者が、携帯電話６００から無線電話回線およびインターネットを介してサーバー３００へアクセスすると、図６に示すようなメニュー画面７３０が表示される。当該画面内で▲２▼景品交換を選択すると、交換可能な景品の種別がリスト表示される（画面７３１）。ここで、遊技者が１つの景品種別を選択すると、その種別に含まれる景品リストが表示される（画面７３２）。図６に示す例では、景品種別としてＣＤ（コンパクトディスク）を選択したので、続いてアーティストを選択し、さらにそのアーティストの中の個別の楽曲を選択するという２段階で景品の具体的な選択操作が行われる（画面７３３）。なお、具体的な景品選択に至るまでの選択方法・選択手順は、景品の性格等に応じて適宜設定される。
【００５２】
具体的な景品を選択すると、現在の貯玉数、その景品との交換に要する貯玉数、交換後の残り貯玉数等が表示され、この景品と交換するか否かの確認メッセージが表示される（画面７３４）。ここで「はい」を選択すると、サーバー３００へ景品交換のためのデータが送信される。これで景品の注文（景品交換登録）が完了したので、実際に景品と交換するには、景品ボックス４００の設置箇所へ行き、携帯電話６００から赤外線通信を行う等によってキー情報を送ることで、景品の受け取りが可能になる（画面７３５、７３６）。
【００５３】
景品交換登録機５００のＰＯＳ端末５１０は、サーバー３００へ周期的（数秒間隔）にアクセスすることにより、逐次、景品の注文状態（景品交換登録の状況）に関する最新情報を取得し、その内容をディスプレイに表示する。係員は、ＰＯＳ端末５１０のディスプレイの表示内容を確認して景品を景品ボックス４００に入れて施錠する操作を行う。
【００５４】
図７は、ＰＯＳ端末５１０のディスプレイに表示される内容の一例を示している。画面上には、景品の注文（景品交換登録）を行った会員の会員番号がアンダーラインを付して表示される。たとえば、会員番号００１の遊技者が景品の注文（景品交換登録）を行ったことにより画面７４１から画面７４２へと遷移し、会員番号００１の表示文字にアンダーラインが付加されている。
【００５５】
係員がアンダーラインの付された会員番号の表示箇所をクリックすると、その会員による注文（景品交換登録）の内容が表示される（画面７４３）。そして画面内の印刷ボタンをクリックすると、注文（景品交換登録）の内容等を表したレシートがプリンター５３０から印刷出力される。ここでは、景品内容（景品名、景品番号等）、会員番号、収納すべきロッカー部の番号、景品投入用の受付番号等が表示される。印刷が完了するとその景品の注文（景品交換登録）に関するデータは表示対象から除外される。係員は、レシートに印刷された内容にしたがって景品を景品ボックス４００に収容して施錠する。
【００５６】
図８は、景品ボックス４００の液晶ディスプレイ４５０に表示される表示内容の遷移を示している。景品ボックス４００の電源が投入されて初期化が終了すると、「いらっしゃいませ」、「携帯電話の赤外線ポートを下の受光部に向けてください」のメッセージを含む待機画面７５１が表示される。係員が景品の投入を行うには、入力キー４３０から所定の暗証番号と景品投入用の受付番号を入力する。これらを入力するとＢＯＸ番号の入力を促す画面７５２が表示される。画面７５２には「＊＊　取消キーで戻る」等のメッセージも表示される。係員はこの案内表示にしたがって、景品を投入すべきロッカー部４１０のＢＯＸ番号を入力する。
【００５７】
すると、景品ボックス４００の景品ＢＯＸ制御部４２０は、ＰＯＳ端末５１０へアクセスして、今回入力された景品投入用の受付番号に対応する会員番号とその会員の暗証番号をＰＯＳ端末５１０から取得し、これをキー情報として記憶する。そして、係員が景品を該当のロッカー部４１０に入れてその扉部４１２を閉じると、施錠されて画面７５３に示すように「ロックされました。」のメッセージが表示される。なお、レシートに会員番号や暗証番号などのキー情報を印刷し、これらを係員が入力キー４３０から入力するように構成してもよい。また景品ＢＯＸ制御部４２０からのアクセスがあった時点で、該当する景品投入用の受付番号に対応する景品交換登録に関するデータをＰＯＳ端末５１０から消去するように構成してもよい。
【００５８】
景品ボックス４００は、管理モードとして、一度施錠したロッカー部４１０を係員の操作によって開鍵することが可能になっている。この場合、係員は所定の暗証番号を入力した後、ＢＯＸ番号を入力する。これにより開鍵される（画面７５４〜画面７５６）。画面７５４には、「いらっしゃいませ」、「携帯電話の赤外線ポートを下の受光部に向けてください」のメッセージが表示される。また画面７５５には、「ＢＯＸ番号を指定してください」、「＊＊　取消キーで戻る」等のメッセージが表示される。画面７５６には「登録がクリアされロックが解除されました。」のメッセージが表示される。
【００５９】
次に、遊技者が注文（景品交換登録）しておいた景品を景品ボックス４００から受け取る際の流れについて説明する。景品ボックス４００の液晶ディスプレイ４５０には、待機画面７６１が表示されており、この状態で、遊技者は、自己の携帯電話６００を景品ボックス４００の赤外線受光部４４０に向けて赤外線通信を実行する（図６の画面７３６参照）。景品ボックス４００は、携帯電話６００から赤外線通信によってその遊技者の会員番号を受信すると、その会員番号をキー情報の一部として施錠されたロッカー部４１０があるか否かを調べる。その間、確認画面７６２を表示する。該当するロッカー部４１０が存在しない場合には、「お預かりした景品はございません。」、「景品カウンタにお越し下さい」のメッセージを表示し（画面７６３）、３秒ほど経過したのち、待機画面７６１に戻る。なお画面７６１には、「いらっしゃいませ」、「携帯電話の赤外線ポートを下の受光部に向けてください」のメッセージが表示される。画面７６２には「確認中です」、「しばらくお待ち下さい」のメッセージが表示される。
【００６０】
赤外線通信で取得した会員番号がキー情報の一部として登録されているロッカー部４１０が存在する場合には、暗証番号の入力を求める画面７６４を表示する。この画面には「暗証番号を入力してください」のメッセージが表示される。遊技者が、入力キー４３０から自己の暗証番号を入力しはじめると「暗証番号入力中」、「＊＊　取消キーで戻る」等のメッセージが表示された画面７６５が表示され、暗証番号の入力を終了すると、景品ＢＯＸ制御部４２０は、キー情報として登録されている暗証番号と照合する。照合中は「確認中です」、「しばらくお待ちください」というメッセージの確認画面７６６が表示される。入力された暗証番号がキー情報と一致しない場合には、「暗証番号が間違っています」等のメッセージを表示し（画面７６７）、その後、再度、暗証番号の入力を求める。かかる動作を所定回数（たとえば３回）試みても暗証番号が一致しない場合には、エラーメッセージ等を表示して画面７６１に戻る。
【００６１】
正しい暗証番号が入力された場合には、該当するロッカー部４１０の施錠部４１３を開鍵する。そして、「１番のドアを開けて景品をお取り下さい」等のメッセージを表示する（画面７６８）。これにより遊技者は、指示されたＢＯＸ番号のロッカー部４１０の扉部４１２を開けて景品を受け取ることが可能になる。
【００６２】
以上、本発明の実施形態を図面によって説明してきたが、具体的な構成はこれら実施の形態に限られるものではなく、本発明の要旨を逸脱しない範囲における変更や追加があっても本発明に含まれる。たとえば、携帯電話６００と単体島２００および携帯電話６００と景品ボックス４００との間の通信を、赤外線通信を利用して行ったが、他の手段を用いるものであってもよい。たとえば、Ｂｌｕｅｔｏｏｔｈ（登録商標）などのワイヤレス通信、無線ＬＡＮ、非接触ＩＣによる通信などであってもよい。
【００６３】
また実施の形態では、会員番号とその会員番号に対応付けて予め登録された暗証番号とを開鍵のためのキー情報として用いたが、景品の注文（景品交換登録）毎に受付番号を割り当て、会員番号とこの受付番号をキー情報としてもよい。すなわち、携帯電話から景品の注文（景品交換登録）を受けるたびに受付番号を割り当て、これをその携帯電話へ返信する。また景品交換登録機５００からのアクセスに対して、景品交換登録指示と遊技者特定情報に加えて受付番号をサーバー３００から景品交換登録機５００へ通知する。
【００６４】
そして景品をロッカー部４１０へ収容して施錠する際のキー情報としてこの受付番号を使用し、開鍵の際には、携帯電話６００からの赤外線通信によって会員番号を取得し、受付番号を手入力等させる。このように受付番号をキー情報の１つとして用いるように構成することにより、他人が誤ってあるいは悪意でロッカー部を開鍵して景品が持ち去られる可能性が低減し、セキュリティーを高めることができる。さらにこの受付番号を携帯電話が記憶し、景品の受け取り時に景品交換ボックスへ赤外線通信等で送信するようにすれば、景品受け取り時の利便性が向上する。また受付番号を暗証番号と併用すれば、さらにセキュリティーを高めることができる。
【００６５】
なお、実施の形態では携帯電話を利用してキー情報の入力を行ったが、必ずしも携帯電話から直接入力しなくてもよい。たとえば、すべてのキー情報を入力キー４３０から入力する構成としてもよい。
【００６６】
また実施の形態では遊技場の入口近傍に景品ボックス４００を設置したが、たとえば、景品の収納作業をコンビニエンスストアに委託等すれば、そのような店先に設置してもよい。このような場合、注文（景品交換登録）の際に景品交換場所を指定可能にするとよい。
【００６７】
【発明の効果】
本発明に係る景品ボックスおよびこれを用いた景品交換システムによれば、景品を収納したロッカー部が、施錠時に設定したキー情報を入力することによって開鍵されるので、遊技者への景品の引渡しを無人で行うことが可能になる。その結果、景品交換ボックスを遊技店の入口等に配置するだけでなく、たとえば、最寄りのコンビニエンスストアなど他店や街頭などに設置することも可能となり、景品の受取りにおける時間的制限や場所的制限が緩和され、景品交換における遊技者の利便性を高めることができる。
【００６８】
また景品の注文（景品交換登録）と景品交換ボックスからの受取りの双方に携帯電話を利用するように構成したものでは、景品交換において充分に携帯電話が活用されるので、携帯電話を用いた景品交換の利用者数の増加を図ることができる。
【００６９】
また印刷出力の完了した景品交換に関する情報を、以後の表示対象から削除するものでは、景品交換ボックスへ未収容の注文（景品交換登録）データだけが表示されるので、係員による管理作業が容易になる。
【００７０】
さらに、携帯電話から取得した遊技者特定情報に基づいて遊技者を特定して貯玉を行うものでは、貯玉の際にも携帯電話が活用され、利便性をさらに高めることができる。
【図面の簡単な説明】
【図１】本発明の一実施の形態に係る景品交換システムの構成図である。
【図２】本発明の一実施の形態に係る景品交換システムに含まれる単体島の構成の一例を示すブロック図である。
【図３】本発明の一実施の形態に係る景品交換システムに含まれる単体島の構成の他の一例を示すブロック図である。
【図４】本発明の一実施の形態に係る景品交換システムに含まれる単体島の液晶表示部に表示される画面の遷移の一例を示す説明図である。
【図５】携帯電話から自己の貯玉数を確認する際に携帯電話のディスプレイに表示される画面の遷移の一例を示す説明図である。
【図６】携帯電話から貯玉を利用した景品交換の注文（景品交換登録）を行う際に携帯電話のディスプレイに表示される画面の遷移の一例を示す説明図である。
【図７】本発明の一実施の形態に係る景品交換システムの景品交換登録機に表示される画面の遷移の一例を示す説明図である。
【図８】本発明の一実施の形態に係る景品交換システムに含まれる景品ボックスに係員が景品を投入する際に景品ボックスの液晶ディスプレイに表示される表示内容の遷移の一例を示す説明図である。
【図９】本発明の一実施の形態に係る景品交換システムに含まれる景品ボックスから遊技者が景品を取り出す際に景品ボックスの液晶ディスプレイに表示される表示内容の遷移の一例を示す説明図である。
【符号の説明】
１０…ネットワーク
１００…景品交換システム
２００…単体島
２１０…遊技機
２２０…遊技媒体貸機
２３０…遊技媒体計数機
２４０…液晶表示部
２５０…入力キー
２６０…赤外線受光部
２７０…制御部
２８０…通信処理部
３００…サーバー
４００…景品ボックス
４１０…ロッカー部
４１２…扉部
４１３…施錠部
４２０…景品ＢＯＸ制御部
４３０…入力キー
４４０…赤外線受光部
４５０…液晶ディスプレイ
４６０…ノート型の汎用パーソナルコンピュータ
５００…景品交換登録機
５１０…ＰＯＳ端末
５２０…赤外線スキャナー
５３０…プリンター
６００…携帯電話
７０１〜７１２…単体島の液晶ディスプレイに表示される画面
７２０〜７２２…貯玉確認時に携帯電話に表示される画面
７３０〜７３５…景品交換登録を行う際に携帯電話に表示される画面
７３６…赤外線通信を行う際に携帯電話に表示される画面
７４１〜７４４…景品交換登録機に表示される画面
７５１〜７５６…景品投入時等に景品交換登録機に表示される画面
７６１〜７６８…景品受取時に景品交換登録機に表示される画面
【図１】
2004081536.tif 000003
【図２】
2004081536.tif 000004
【図３】
2004081536.tif 000005
【図４】
2004081536.tif 000006
【図５】
2004081536.tif 000007
【図６】
2004081536.tif 000008
【図７】
2004081536.tif 000009
【図８】
2004081536.tif 000010
【図９】
2004081536.tif 000011